(57)【特許請求の範囲】
【請求項１】
電線端末に接続された端子金具の収容用の端子収容室が形成されたハウジングと、このハウジングの電線引き出し側の後端に配置されて引き出された電線が密着状態で挿通される電線挿通孔を有する防水栓と、この防水栓をハウジングとの間で挟持して防水栓を後端部に装着すると共に、電線挿通孔を挿通した電線が引き出される電線引出口を有する防水栓ホルダとを備えた防水コネクタにおいて、前記電線引出口から防水栓ホルダと防水栓との間に浸入した水を外部に向けて排出する空間を前記防水栓ホルダと防水栓との間に形成する浸入水排出空間形成手段を前記防水栓ホルダに形成し、
該浸入水排出空間形成手段が電線引出口の防水栓側の開口周囲に同心円状に設けられて前記防水栓をハウジングの後端に向けて押圧する複数の突起と、これらの突起間のスリットであって前記防水栓ホルダと防水栓との間に浸入した水が前記空間に排出され防水栓ホルダとハウジングとの間から外部に向けて排出される排出溝とからなることを特徴とする防水コネクタ。
【発明の詳細な説明】
【０００１】
【産業上の利用分野】
本発明は、ハウジングの端子収容室内を防水する防水栓をコネクタの後端部と防水栓ホルダとの間で挟持して装着する防水コネクタに関する。
【０００２】
【従来の技術】
図６は、特開平５−２０５８１０号公報に記載の防水コネクタ１を示す。この防水コネクタ１は、複数の端子収容室３が形成されたハウジング５と、端子収容室３内に収容された端子金具７の抜けを防止するスペーサ９と、ハウジング５の電線引出側の後端部に装着される防水栓１１と、ハウジング５の後端部に固定されて防水栓１１をハウジング５の後端部に固定する防水栓ホルダ１３とで構成されている。
【０００３】
ハウジング５に形成された複数個の端子収容室３は近接・配置されて設けられている。これらの端子収容室３に対応して、防水栓１１には、端子金具７が端末に接続される電線１５が密着状態で挿通する複数の電線挿通孔１７が形成されている。また、防水栓１１をハウジング５の後端部との間で挟持する防水栓ホルダ１３にも、端子収容室３に対応して複数の電線引出口１９が形成されている。なお、図６において、符号２０は、相手コネクタと防水コネクタ１を嵌合するためのボルトである。
【０００４】
そして、ハウジング５の後端部に防水栓１１を配置し、防水栓ホルダ１３をハウジング５の後端部に固定して、防水栓１１をハウジング５の後端部との間で挟持する。この状態では、端子収容室３の後端部側の開口は防水栓１１の電線挿通孔１７の開口とそれぞれ連通され、防水栓１１の後端部側の開口は防水栓ホルダ１３の電線引出口１９と連通されている。
【０００５】
次に、電線１５の端末に接続された端子金具７を、ハウジング５の後端部側から端子収容室３内に挿入する。このようにして、端子金具７を端子収容室３内にすべて収容した後に、ハウジング５の前面側からスペーサ９を端子収容室３に挿入して、端子収容室３内からの端子金具７の抜けを阻止する。この状態では、端子収容室３内は、後端部の開口に装着された防水栓１１により確実に防水されるようになっている。
【０００６】
【発明が解決しようとする課題】
しかしながら、図７に示すように、防水栓ホルダ１３に形成した電線引出口１９は、電線１５を通し易くする必要から電線１５の外径より大きく設定されているため、電線１５との間に隙間２１が生じてしまい、この隙間２１に水が溜まりやすい。隙間２１に水が溜まった状態で長時間放置すると、防水栓１１と電線１５の外周との間から水が端子収容室３内に浸入するおそれがある。このため、端子金具７の導通不良等の不具合が発生する可能性がある。
【０００７】
そこで、本発明は、防水栓ホルダの電線引出孔と電線との隙間に水が溜まることがなく、確実に防水することが出来る防水コネクタの提供を目的とする。
【０００８】
【課題を解決するための手段】
上記目的を達成するため請求項１の発明は、電線端末に接続された端子金具の収容用の端子収容室が形成されたハウジングと、このハウジングの電線引き出し側の後端に配置されて引き出された電線が密着状態で挿通される電線挿通孔を有する防水栓と、この防水栓をハウジングとの間で挟持して防水栓を後端部に装着すると共に、電線挿通孔を挿通した電線が引き出される電線引出口を有する防水栓ホルダとを備えた防水コネクタにおいて、前記電線引出口から防水栓ホルダと防水栓との間に浸入した水を外部に向けて排出する空間を前記防水栓ホルダと防水栓との間に形成する浸入水排出空間形成手段を前記防水栓ホルダに形成し、
該浸入水排出空間形成手段が電線引出口の防水栓側の開口周囲に同心円状に設けられて前記防水栓をハウジングの後端に向けて押圧する複数の突起と、これらの突起間のスリットであって前記防水栓ホルダと防水栓との間に浸入した水が前記空間に排出され防水栓ホルダとハウジングとの間から外部に向けて排出される排出溝とからなることを特徴とする。
【００１２】
請求項１記載の発明によれば、防水栓をハウジングの後端部と防水栓ホルダとの間で挟持すると、防水栓は複数の突起によりハウジングの後端部側に押圧されて装着される。この場合、防水栓ホルダと防水栓との間には、突起により空間が形成され、電線引出口から浸入した水は排出溝からこの空間内に流れて外部に排出される。
【００１４】
【実施例】
以下、本発明に係る防水コネクタの実施例について図面を用いて説明する。図１は防水コネクタ２３のハウジング２５に防水栓２７を装着するための防水栓ホルダ２９を示す斜視図、図２は防水コネクタ２３を示す分解斜視図である。また、図３は防水栓２７と防水栓ホルダ２９との関係を示す断面図、図４は図３の一部を拡大した断面図である。
【００１５】
図２に示すように、防水コネクタ２３は、ハウジング２５と、このハウジング２５の電線引出側の後端部に配置されて引き出された電線Ｗが密着状態で挿通される電線挿通孔３１を有する防水栓２７と、この防水栓２７をハウジング２５との間で挟持して防水栓２７を後端部に装着すると共に、電線挿通孔３１を挿通した電線Ｗが引き出される電線引出口３３を有する防水栓ホルダ２９とを備えている。
【００１６】
図３に示すように、ハウジング２５には、複数の端子収容室３５が形成されている。これらの端子収容室３５内には、電線Ｗの端末に接続された端子金具３７がそれぞれ収容される。
【００１７】
上記防水栓２７はゴム製で弾性を有しており、端子金具３７が端末に接続された電線Ｗが電線挿通孔３１に密着状態で挿通されるようになっている。
【００１８】
図１に示すように、防水栓ホルダ２９は、基板部３９と、この基板部３９の外周端部全域に形成された側壁４１とで構成されている。基板部３９には、防水栓２７の電線挿通孔３１と連通する電線引出口３３が形成されている。また、この防水栓ホルダ２９には、浸入水排出空間形成手段４３が形成されている。この浸入水排出空間形成手段４３は、電線引出口３３から防水栓ホルダ２９と防水栓２７との間に浸入した水を外部に向けて排出する空間４５（図３、図４参照）を防水栓ホルダ２９と防水栓２７との間に形成している。
【００１９】
浸入水排出空間形成手段４３は、電線引出口３３の防水栓２７側の開口周囲から突設された突起４７、４７、４７、４７と、これらの突起４７、４７、４７、４７間に形成されて防水栓ホルダ２９と防水栓２７との間に浸入した水が外部に向けて排出される排出溝４９とからなる。
【００２０】
また、側壁４１には、係止孔５１が形成されており、ハウジング２５の外周から突設された係止突起５３と係合することにより、防水栓ホルダ２９がハウジング２５に固定される。
【００２１】
上述した防水コネクタ２３を組み付けるには、防水栓２７をハウジング２５の後端部に配置した状態で、防水栓ホルダ２９をハウジング２５に係合する。この場合、ハウジング２５の係止突起５３を防水栓ホルダ２９の係止孔５１内に係合させることによりハウジング２５に防水栓ホルダ２９を固定する。この状態では、防水栓２７は、突起４７によりハウジング２５の後端部側に押圧されている。また、防水栓ホルダ２９と防水栓２７との間に空間４５が形成されている。そして、電線引出口３３から電線端末の端子金具３７を挿入し、防水栓２７の電線挿通孔３１を挿通させて端子収容室３５内に収容する。
【００２２】
本実施例によれば、防水栓２７と防水栓ホルダ２９との間に空間４５を形成したことにより、防水栓ホルダ２９の電線引出口３３からの水は、排出溝４９を通って空間４５内に流れて防水栓ホルダ２９とハウジング２５との間から外部に排出されるので、電線引出口３３と電線Ｗとの隙間２１に溜ることがなく、確実に防水することが出来る。
【００２３】
次に他の実施例について図５を用いて説明する。本実施例の浸入水排出空間形成手段５５は、防水栓ホルダ６１の隣接する電線引出口３３、３３間に設けられた突起５７で構成されている。図５に示すように、隣接する電線引出口３３、３３、３３の間には、突起５７が形成されている。この突起５７は、ハウジング２５の後端部に防水栓２７を装着した状態では、防水栓２７をハウジング２５の後端部に押圧する。また、防水栓２７と防水栓ホルダ２９との間に、空間５９を形成している。
【００２４】
本実施例によれば、電線引出口３３と電線Ｗとの間に浸入した水は、突起５７、５７間から空間５９内に流れて防水栓ホルダ６１とハウジング２５との隙間から外部に排出される。従って、電線引出口３３と電線との間に水が溜ることがなく、防水栓２７の電線挿通孔３１と電線Ｗとの間から端子収容室３５内に水が浸入することがない。よって、確実に防水することが出来る。
【００２５】
【発明の効果】
以上説明したように請求項１の発明によれば、請求項２の発明によれば、防水栓ホルダと防水栓との間には、突起により空間が形成され、電線引出口から浸入した水は排出溝からこの空間内に流れて外部に排出される。よって、電線引出口と電線との隙間に水が溜ることがなく、確実に防水することが出来る。
【図面の簡単な説明】
【図１】本発明に係る防水コネクタの防水栓ホルダを示す斜視図である。
【図２】本発明に係る防水コネクタを示す斜視図である。
【図３】本発明に係る防水コネクタのハウジング、防水栓、防水栓ホルダの関係を示す断面図である。
【図４】図３に示す断面図の一部を拡大した断面図である。
【図５】他の実施例の防水コネクタの防水栓ホルダを示す斜視図である。
【図６】従来の防水コネクタを示す分解斜視図である。
【図７】従来の防水コネクタにおけるハウジング、防水栓、防水栓ホルダの関係を示す断面図である。
【符号の説明】
２３  防水コネクタ
２５  ハウジング
２７  防水栓
２９  防水栓ホルダ
３１  電線挿通孔
３３  電線引出口
３５  端子収容室
４３、５５  浸入水排出空間形成手段
４５、５９  空間
４７、５７  突起
４９  排出溝
【図１】
0004163263.tif 000002
【図２】
0004163263.tif 000003
【図３】
0004163263.tif 000004
【図４】
0004163263.tif 000005
【図５】
0004163263.tif 000006
【図６】
0004163263.tif 000007
【図７】
0004163263.tif 000008